(57)【要約】【課題】シャッターカーテンの片下がりを容易に修正することができる開閉装置を提供する。【解決手段】開口部１０を開閉する開閉体（シャッターカーテン４）と、開閉体を巻き取るシャフト３１とを備えた開閉装置（シャッター装置１）において、シャフト３１の端部３１Ｅの位置を上下方向に調整するための調整機構６を備えたことを特徴とする。また、調整機構６の操作部（ねじ頭部８３）が、シャフト３１を収容するケース２の外側から操作可能な位置に設けられている。【選択図】図１
2020125638.tif 000002
【特許請求の範囲】
【請求項１】
開口部を開閉する開閉体と、開閉体を巻き取るシャフトとを備えた開閉装置において、
シャフトの端部の位置を上下方向に調整するための調整機構を備えたことを特徴とする開閉装置。
【請求項２】
調整機構の操作部が、シャフトを収容するケースの外側から操作可能な位置に設けられたことを特徴とする請求項１に記載の開閉装置。
【請求項３】
調整機構は、シャフトの端部に設けられた上下移動手段と、建物の躯体に固定されたシャフト支持部に固定されて上下移動手段を上下移動可能に支持する支持手段と、操作手段とを備え、
操作手段が、支持手段の下板を貫通するように形成されたねじ孔に螺着されて下部の操作部を回転させることで上下移動可能に構成されたねじ部材により構成され、
ねじ部材のねじ先端を上下移動させて上下移動手段を上下移動させることにより、シャフトの端部の位置を上下動させるように構成されたことを特徴とする請求項１又は請求項２に記載の開閉装置。
【請求項４】
調整機構は、シャフトの端部を上下移動可能に支持する支持手段と、シャフトの端部を上下移動させる操作手段とを備え、
操作手段が、支持手段の下板を貫通するように形成されたねじ孔に螺着されて下部の操作部を回転させることで上下移動可能に構成されたねじ部材により構成され、
ねじ部材のねじ先端を上下移動させてシャフトの端部を上下移動させるように構成されたことを特徴とする請求項１又は請求項２に記載の開閉装置。
【請求項５】
シャフトの左右両方の端部に、それぞれ、調整機構を備えたことを特徴とする請求項１乃至請求項４のいずれか一項に記載の開閉装置。
【発明の詳細な説明】
【技術分野】
【０００１】
本発明は、開閉装置、特に、開閉体を巻取るシャフトの端部の位置を上下方向に調整するための調整機構を備えた開閉装置に関する。
【背景技術】
【０００２】
開閉体としてのシャッターカーテンを巻き取るシャフトを支持するボックス（ケース）が枠を介して躯体に取付けられた開閉装置としてのシャッター装置において、ボックスと枠との間に、ボックスの上下方向の位置を調整する位置調整機構を備えた構成のシャッター装置が知られている（例えば特許文献１参照）。
【先行技術文献】
【特許文献】
【０００３】
【特許文献１】特開２０００−１３００５６号公報
【発明の概要】
【発明が解決しようとする課題】
【０００４】
特許文献１に開示されたシャッター装置では、ボックス及びシャフトを水平状態となるように調整することが可能であるが、ボックス及びシャフトが水平状態となるように取付けられたとしても、シャッターカーテン吊元の取付位置が左右でずれていたり、シャッターカーテンを構成するスラットの成形誤差によって上下のスラット間の間隔が左右で異なっていたり、その他様々な要因に基づいて、シャッターカーテンの片側が下がるシャッターカーテンの片下がりという現象が生じる可能性がある。
特許文献１に開示されたシャッター装置においては、上述したシャッターカーテンの片下がり現象を修正するためには、ボックスを解体してシャッターカーテン吊元の取付位置を調整したり、上下のスラット間の間隔を調整する作業等が必要となり、シャッターカーテンの片下がりを容易に修正することができないという課題があった。
【０００５】
本発明は、上記課題を解消すべく、開閉体（シャッターカーテン）の片下がりを容易に修正することができる開閉装置を提供するものである。
【課題を解決するための手段】
【０００６】
本発明に係る開閉装置は、開口部を開閉する開閉体と、開閉体を巻き取るシャフトとを備えた開閉装置において、シャフトの端部の位置を上下方向に調整するための調整機構を備えたことを特徴とする。
また、調整機構の操作部が、シャフトを収容するケースの外側から操作可能な位置に設けられたことを特徴とする。
また、調整機構は、シャフトの端部に設けられた上下移動手段と、建物の躯体に固定されたシャフト支持部に固定されて上下移動手段を上下移動可能に支持する支持手段と、操作手段とを備え、操作手段が、支持手段の下板を貫通するように形成されたねじ孔に螺着されて下部の操作部を回転させることで上下移動可能に構成されたねじ部材により構成され、ねじ部材のねじ先端を上下移動させて上下移動手段を上下移動させることにより、シャフトの端部の位置を上下動させるように構成されたことを特徴とする。
また、調整機構は、シャフトの端部を上下移動可能に支持する支持手段と、シャフトの端部を上下移動させる操作手段とを備え、操作手段が、支持手段の下板を貫通するように形成されたねじ孔に螺着されて下部の操作部を回転させることで上下移動可能に構成されたねじ部材により構成され、ねじ部材のねじ先端を上下移動させてシャフトの端部を上下移動させるように構成されたことを特徴とする。
また、シャフトの左右両方の端部に、それぞれ、調整機構を備えたことを特徴とする。
本発明に係る開閉装置によれば、シャフトの端部の位置を上下方向に調整するための調整機構を備えたことにより、開閉体（シャッターカーテン）の片下がり現象が生じた場合には、調整機構を操作して、シャフトの端部を上下方向に移動させることによって、開閉体の下端が水平状態となるように調整でき、開閉体の片下がりを容易に修正できるようになる。
【図面の簡単な説明】
【０００７】
【図１】シャッター装置を示す全体構成斜視図。
【図２】巻取部を示す斜視図。
【図３】調整機構を示す斜視図。
【図４】調整機構を示す断面図（シャフトの中心軸に沿った断面）。
【図５】調整機構を斜め上方側から見た分解斜視図。
【図６】調整機構を斜め下方側から見た分解斜視図。
【図７】シャッターカーテンの片下がりを修正する作業方法を示す図。
【図８】調整機構を示す断面図（シャフトの中心軸と直交する断面）。
【図９】巻取部を示す斜視図。
【図１０】調整機構を示す断面図（シャフトの中心軸に沿った断面）。
【発明を実施するための形態】
【０００８】
実施形態１
図１に示すように、実施形態１による開閉装置の一例としてのシャッター装置１は、開閉体収容ケース２（以下、「ケース２」という）と、巻取部３と、建物の開口部１０を開閉するために巻取部３に巻き取り可能及び操り出し可能に取付けられた開閉体としてのシャッターカーテン４と、ガイドレール５と、巻取部３のシャフト３１（ホイール３２の回転中心軸）の左右の端部３１Ｅ，３１Ｅの位置を上下方向に調整するための左右の調整機構６，６とを備える。
尚、本明細書においては、シャッター装置１の上、下、左、右、前、後は、図１等に示した方向と定義して説明する。
【０００９】
ケース２は、建物に形成された出入口、窓等の開口部１０の上方に位置する取付部としての建物の躯体１１に取付けられ、シャッターカーテン４を巻き取る巻取部３を回転可能に収容するとともに、当該巻取部３に巻き取られるシャッターカーテン４を収容する収容空間を形成するように構成される。
ケース２は、例えば、巻取部３の上方及び前方を覆う上前カバー２１と、巻取部３のシャフト３１の左右の端部３１Ｅ，３１Ｅを支持するために建物の躯体１１に固定されたシャフト支持部としての左右のブラケット２２，２２と、巻取部３の下方を覆う下カバー２３とを備え、例えば、上前カバー２１及び下カバー２３の左右端側が左右のブラケット２２，２２に連結されるとともに上前カバー２１の後端側がサッシュ枠１３に連結されて構成される。
尚、下カバー２３には、シャッターカーテン４の引出口２４が形成されている。
【００１０】
ガイドレール５，５は、開口部１０を開閉するシャッターカーテン４の側端縁４ａ，４ａ（左右の両端部）をガイドする部材であって、開口部１０の矩形の中心を基準とした左右の方向（開口幅方向）に互いに離隔して開口部１０の左端部，右端部にそれぞれ設けられ、開口部１０の上下方向に延長するガイド溝５ａを備える。
シャッターカーテン４における左右の側端縁４ａ，４ａが、ガイドレール５，５の相対向するガイド溝５ａ，５ａを介して、シャッターカーテン４の開閉方向である上下方向にガイドされることで、シャッターカーテン４が上下方向に移動して開口部１０を開閉する。
【００１１】
図１に示したシャッター装置１は、建物の開口部１０に形成された窓部１２の枠を構成するサッシュ枠１３の室外側に取付けられた、所謂、窓シャッターと呼ばれるものであり、当該窓シャッターは、ガイドレール５，５が、ガイドレール取付部材１４を介して躯体１１に取付けられる。
【００１２】
シャッターカーテン４は、スラット部４１と、水切４２と、図外の吊元とを備えて構成される。
スラット部４１は、複数のスラット部材４５，４５…により形成される。スラット部材４５は、巻取部３の回転中心線３ａに沿った方向に長い長尺部材により形成される。スラット部４１は、複数のスラット部材４５，４５…がスラット部材４５の長手方向（スラット部材４５の長辺に沿った方向）と直交する方向に連続するように、隣り合うスラット部材４５同士の長手方向の両端位置を揃えて長辺同士が図外の係合部によって互いに接続され、当該接続部分で折れ曲がり可能となった矩形板状に形成される。
水切４２は、スラット部４１における他端（下端）に位置されるスラット部材４５の長辺に連結される。水切４２は、長手方向と直交する断面形状が例えば概略逆Ｔ字形状の長尺部材により形成される。
図１では、巻取部３の外観を示したため、吊元を図示していないが、当該吊元は、スラット部４１の一端（上端）に位置されるスラット部材４５の長辺に沿って当該長辺に間欠的に設けられる連結板であり、巻取部３のホイール３２に連結される。
【００１３】
図１，図２に示すように、巻取部３は、シャフト３１と、複数のホイール３２と、複数のホイール３２同士を連結する補強部材３３と、トーションコイルばね３４（バランス調整ばね）とを備えて構成される。
【００１４】
図１に示すように、シャフト３１は、断面円形状の例えば鋼管により形成されて、左右の端部３１Ｅ，３１Ｅが、建物の躯体１１に固定されたシャフト支持部としての左右のブラケット２２，２２に、それぞれ、調整機構６，６を介して上下移動可能に構成されている。
【００１５】
図２に示すように、ホイール３２は、シャフト３１の少なくとも両端部側に設けられるものである。尚、図２では、ホイール３２が、シャフト３１の一端部と他端部と中央部とに設けられた構成のものを例示した。
ホイール３２は、円板状板部の円の中央部にシャフト３１を貫通させるための中央貫通孔が設けられて構成された円環状板部３５と、円環状板部３５の中央貫通孔の孔縁から円環状板部３５の中心線（シャフト３１の中心線）に沿った方向に延長するように設けられた円筒状のシャフト貫通筒部３６と、円環状板部３５の外周縁よりシャフト貫通筒部３６の延長方向と同方向に延長するように設けられた外側筒状部３７とを備えた構成である。
【００１６】
円環状板部３５は、外周縁における互いに１８０度離れた部分に、互いに平行に対向する直線部３８，３８を備えており、かつ、この直線部３８，３８に繋がる外側筒状部３７の周面における互いに１８０度離れた部分にも、互いに平行に対向する平面部３９，３９を備えている。
尚、ホイール３２は、円環状板部３５及び外側筒状部３７の外周面が完全円形に形成されたホイールを用いてもよい。
【００１７】
補強部材３３は、例えば、シャフト３１の中心線３ａ（即ち、ホイール３２，３２…の回転中心線）に沿って延長する板状の長尺板により構成される。
補強部材３３は、各ホイール３２，３２…にそれぞれ設けられた一対の平面部３９，３９に対応するように、例えば、２本設けられる。
例えば、図２に示すように、左端側に設けられたホイール３２及び中央側に設けられたホイール３２は、円環状板部３５における平面部３９，３９との境界部分に補強部材３３を貫通させる貫通孔３５ａが形成されている。
【００１８】
例えば図２に示すように、シャフト３１を、トーションコイルばね３４の螺旋の中空部に貫通させるとともに、各ホイール３２，３２…のシャフト貫通筒部３６，３６…に貫通させ、シャフト３１の右端側に位置されたホイール３２とシャフト３１の中央側に位置されたホイール３２との間に位置させたトーションコイルばね３４の一端をホイール３２に固定し、かつ、当該トーションコイルばね３４の他端をシャフト３１に固定する。
そして、各補強部材３３，３３の右端が、シャフト３１の左端側に設けられたホイール３２の貫通孔３５ａ及びシャフト３１の中央側に設けられたホイール３２の貫通孔３５ａに通されて、シャフト３１の右端側に設けられたホイール３２の平面部３９におけるシャフト３１に近い側の面（内面）に面接触した状態で図外のねじや溶接等の固定手段で当該平面部３９に固定される。即ち、各補強部材３３，３３によって、シャフト３１のねじれ等を抑制できるように補強された巻取部３が構成される。
【００１９】
そして、図１に示すように、シャフト３１が回転しないように、当該シャフト３１の左右の端部３１Ｅ，３１Ｅが、それぞれ、調整機構６，６を介して左右のブラケット２２，２２に連結され、各ホイール３２，３２…が、回転しないシャフト３１の中心線３ａを回転中心として回転可能に構成される。
そして、シャッターカーテン４の一端側が吊元を介して各ホイール３２，３２の外側筒状部３７，３７の外周面に連結されることによって、各ホイール３２，３２の外周面にシャッターカーテン４を巻き取り可能及び操り出し（巻き出し）可能とする巻取部３が構成される。
【００２０】
即ち、トーションコイルばね３４がシャフト３１の周囲に巻き回されたように設けられてトーションコイルばね３４の一端がホイール３２に連結されてトーションコイルばね３４の他端がシャフト３１に連結されていることにより、トーションコイルばね３４のばね力によってシャッターカーテン４が巻取部３の各ホイール３２，３２…に巻き取られることで建物の開口部１０が開通し、また、トーションコイルばね３４のばね力に抗してシャッターカーテン４が巻取部３から繰り出されることで建物の開口部１０が閉鎖される。
【００２１】
図３，図４に示すように、調整機構６は、シャフト３１の端部３１Ｅに設けられた上下移動手段６０と、ブラケット２２に固定されて上下移動手段６０を上下移動可能に支持する支持手段７０と、上下移動手段６０を上下移動させるために操作される操作手段８０とを備える。
【００２２】
以下、図５，図６に基づいて、上下移動手段６０、支持手段７０、操作手段８０を詳細に説明する。
【００２３】
上下移動手段６０は、下板６１と、下板６１の前後の端縁からそれぞれ上方に延長する立ち上がり板６２，６２とを備えた凹状体により形成され、下板６１の中央部にはねじ先端部収容穴形成体６３を備え、前後の各立ち上がり板６２，６２の中央部にはねじ貫通孔６４，６４を備えた構成である。
ねじ先端部収容穴形成体６３は、上下方向に所定厚さの肉厚部を有した板材により形成され、当該板材の下面と上面とに貫通するねじ先端部収容孔が形成されている。このねじ先端部収容穴形成体６３の上面と下板６１の下面とが接触した状態に溶接などで固定されることによって、ねじ先端部収容孔の上端開口が下板６１の下面で塞がれてねじ先端部収容孔の下端が開口されたねじ先端部収容穴６３ａが形成される。
【００２４】
また、シャフト３１の端部３１Ｅにおける管の周壁において周方向に互いに１８０度隔てた位置には、ねじ貫通孔６５，６５を備えている。
【００２５】
シャフト３１の端部３１Ｅが、上下移動手段６０の前後の各立ち上がり板６２，６２の間に挿入された状態で、前側の立ち上がり板６２のねじ貫通孔６４、シャフト３１の端部３１Ｅのねじ貫通孔６５，６５、後側の立ち上がり板６２のねじ貫通孔６４に通した固定ねじ６６の先端部６６ｔにナット６７を締結することにより、シャフト３１の端部３１Ｅに上下移動手段６０が取付けられる。
【００２６】
支持手段７０は、下板７１と、下板７１の前後の端縁からそれぞれ上方に延長する立ち上がり板７２，７２と、下板７１の横方向の一端縁から下板７１の板面と直交する下方向に延長するように設けられた下固定板７３と、前側の立ち上がり板７２の横方向の一端縁から当該立ち上がり板７２の板面と直交する前方向に延長するように設けられた前固定板７４と、後側の立ち上がり板７２の横方向の一端縁から当該立ち上がり板７２の板面と直交する後方向に延長するように設けられた後固定板７５とを備える。
下板７１の中央部には操作手段８０の先端側ねじ部８２が貫通するねじ螺着孔７６を備え、前側の立ち上がり板７２には、シャフト３１の端部３１Ｅと上下移動手段６０とを連結した固定ねじ６６の頭部６６ａを上下方向に移動可能とするために前側に張り出して上下方向に延長する逃げ凹部７７を備え、後側の立ち上がり板７２には、固定ねじ６６の先端部６６ｔに締結されたナット６７を上下方向に移動可能とするために後側に張り出して上下方向に延長する逃げ凹部７８を備える。
下固定板７３、前固定板７４、後固定板７５の中央部には、支持手段７０をブラケット２２に固定するリベット８５等の固定手段を貫通させる貫通孔７９が形成されている。
【００２７】
操作手段８０は、先端側ねじ部８２が支持手段７０のねじ螺着孔７６を通過して先端側ねじ部８２の先端部が上下移動手段６０のねじ先端部収容穴６３ａに収容され、操作部としてねじ頭部８３がケース２に形成された貫通孔を介してケース２の下方に突出するように構成されたねじ部材８１により構成される。
【００２８】
即ち、下固定板７３、前固定板７４、後固定板７５が、リベット８５等の固定手段でブラケット２２に固定された支持手段７０の前後の立ち上がり板７２，７２間に、シャフト３１の端部３１Ｅに取付けられた上下移動手段６０が設置され、操作手段８０の先端側ねじ部８２が、ケース２に形成された貫通孔を経由してねじ螺着孔７６に螺着されて、先端側ねじ部８２の先端部がねじ先端部収容穴６３ａに挿入された状態に設定されることで、調整機構６が構成される。
【００２９】
つまり、操作手段８０は、支持手段７０の下板７１を貫通するように形成されたねじ螺着孔７６に先端側ねじ部８２が螺着されてケース２の下方に突出する下部の操作部としてのねじ頭部８３を回転させることで上下移動可能に構成されたねじ部材８１により構成され、ねじ部材８１のねじ先端（上端）を上下移動させて上下移動手段６０を上下移動させることにより、シャフト３１の端部３１Ｅの位置を上下動させることが可能なように構成されている。
【００３０】
実施形態１に係るシャッター装置１によれば、調整機構６が、シャフト３１の端部３１Ｅに設けられた上下移動手段６０と、建物の躯体１１に固定されたブラケット２２に固定されて上下移動手段６０を上下移動可能に支持する支持手段７０と、操作手段８０とを備えて構成され、そして、操作手段８０が、支持手段７０の下板７１を貫通するように形成されたねじ螺着孔７６に螺着されてケース２の下方に突出する下部の操作部としてのねじ頭部８３を回転させることで上下移動可能に構成されたねじ部材８１により構成され、ねじ部材８１のねじ先端（上端）を上下移動させて上下移動手段６０を上下移動させることにより、シャフト３１の端部３１Ｅの位置を上下動させるように構成された。
従って、シャッターカーテン４の片下がり現象が生じた場合には、操作手段８０のねじ頭部８３を回転させる操作を行なって、シャフト３１の端部３１Ｅを上下方向に移動させることにより、シャッターカーテン４の下端が水平状態となるように調整でき、シャッターカーテン４の片下がりを容易に修正できるようになる。
即ち、従来のシャッター装置のように、ケース２を解体してシャッターカーテン吊元の取付位置を調整したり、上下のスラット間の間隔を調整する作業等を行うことなく、図７に示すように、ケース２の外側からドライバー８６等で操作部としてのねじ頭部８３を操作することにより、シャッターカーテン４の片下がりを容易に修正することができるようになる。
【００３１】
また、実施形態１に係るシャッター装置１によれば、調整機構６の操作部としてのねじ部材８１のねじ頭部８３が、シャフト３１の端部３１Ｅの下方に位置するケース２の外側下方から操作可能な位置に設けられたので、ケース２の外側からドライバー８６等でねじ頭部８３を簡単に操作することができて、シャッターカーテン４の片下がりを修正する作業を容易に行えるようになる。
【００３２】
実施形態２
シャフト３１の左右の端部３１Ｅ，３１Ｅの位置を上下方向に調整するための左右の調整機構として、図９，図１０に示すような調整機構６Ａを備えた構成としてもよい。
当該調整機構６Ａは、シャフト３１の端部３１Ｅを上下移動可能に支持する支持手段９０と、シャフト３１の端部３１Ｅを上下移動させる操作手段８０Ａとを備える。
【００３３】
支持手段９０は、下板９１と、下板９１の前後の端縁からそれぞれ上方に延長する立ち上がり板９２，９２と、下板９１の横方向の一端縁から下板９１の板面と直交する下方向に延長するように設けられた下固定板９３と、前側の立ち上がり板９２の横方向の一端縁から当該立ち上がり板９２の板面と直交する前方向に延長するように設けられた前固定板９４と、後側の立ち上がり板９２の横方向の一端縁から当該立ち上がり板９２の板面と直交する後方向に延長するように設けられた後固定板９５とを備えた凹状体を有し、かつ、下板９１の中央部には、操作手段８０Ａの先端側ねじ部８２が貫通するねじ螺着孔９１ａを備え、前後の各立ち上がり板９２，９２の中央部には上下方向に延長する長孔９８，９８を備えた構成である。
【００３４】
操作手段８０Ａは、先端側ねじ部８２が支持手段９０の下板９１に形成されたねじ螺着孔９１ａを通過し、ねじ螺着孔９１ａを通過した先端側ねじ部８２の先端（上端）にシャフト３１の端部３１Ｅを載置するための載置板９９を備え、載置板９９の上面がシャフト３１の端部３１Ｅに接触した状態で先端側ねじ部８２の先端（上端）が上下動することで、端部３１Ｅを上下移動させるねじ部材８１により構成される。
【００３５】
即ち、下固定板９３、前固定板９４、後固定板９５が、リベット８５等の固定手段でブラケット２２に固定された支持手段９０の前後の立ち上がり板９２，９２間に、シャフト３１の端部３１Ｅが挿入された状態で、前側の立ち上がり板９２の長孔９８、シャフト３１の端部３１Ｅのねじ貫通孔６５，６５、後側の立ち上がり板９２の長孔９８に通した固定ねじ９６ｔの先端部にナット９７を締結することにより、固定ねじ９６ｔの軸部９６が前後の各立ち上がり板９２，９２の長孔９８，９８の孔内を上下方向に移動可能なように構成され、操作手段８０Ａの操作部としてのねじ頭部８３を回転させることでシャフト３１の端部３１Ｅを上下移動させることができる調整機構６Ａが構成される。
【００３６】
実施形態２に係るシャッター装置１によれば、シャフト３１の端部３１Ｅを長孔９８，９８を介して上下移動可能に支持する支持手段９０と、シャフト３１の端部３１Ｅを上下移動させるねじ部材８１により構成された操作手段８０Ａとを有した調整機構６Ａを備え、操作手段８０Ａが、支持手段９０の下板９１を貫通するように形成されたねじ螺着孔９１ａに螺着されて下部の操作部としてのねじ頭部８３を回転させることでねじ部材８１のねじ先端を上下移動させてシャフト３１の端部３１Ｅを上下移動させるように構成されたので、実施形態１と同様に、シャッターカーテン４の片下がり現象が生じた場合には、ねじ頭部８３を操作してシャフト３１の端部３１Ｅを上下方向に移動させることによって、シャッターカーテン４の下端が水平状態となるように調整でき、シャッターカーテン４の片下がりを容易に修正できるようになる。
【００３７】
実施形態３
図示しないが、シャフト３１の端部３１Ｅが上下移動可能となるようにブラケット２２に取付けられた調整機構を構成し、当該調整機構の操作部をブラケット２２の外側に設けて、この操作部を操作することによって、シャッターカーテン４の下端が水平状態となるように調整でき、シャッターカーテン４の片下がりを修正できるようにした開閉装置としてもよい。
【００３８】
尚、上述した調整機構６，６Ａにおいては、図４，図８，図１０に示すように、シャフト３１の端部３１Ｅが上下可動領域（上下可動可能範囲）の中間位置に設定された状態を初期状態としておくことによって、シャフト３１の端部３１Ｅを上下方向に移動させることができ、シャッターカーテン４の片下がりを容易に修正することができるようになる。即ち、シャフト３１の端部３１Ｅの初期位置を、端部３１Ｅの上下可動領域の中間位置に設定しておく。
【００３９】
また、上述したように、シャフト３１の左右両方の端部３１Ｅ，３１Ｅに、それぞれ、調整機構を備えた構成とすることが望ましいが、シャフト３１の左右いずれか一方の端部３１Ｅにのみ調整機構を備えた構成としてもよい。シャフト３１の左右いずれか一方の端部３１Ｅにのみ調整機構を備えた構成とした場合でも、シャフト３１の端部３１Ｅの初期位置を、端部３１Ｅの上下可動領域の中間位置に設定しておくことによって、片方の端部３１Ｅを上下方向に移動させることができるので、シャッターカーテン４の下端が水平状態となるように調整できて、シャッターカーテン４の片下がりを修正することができるようになる。
【００４０】
また、上記では、回転しない構成のシャフトの端部に調整機構を備えた構成を例示したが、回転する構成のシャフトの端部に調整機構を備えた構成としても良い。この場合、例えば、回転する構成のシャフトの端部に、当該シャフトを回転可能に支持する軸受を設け、当該軸受を上下方向に移動させる構成とすればよい。
【００４１】
本発明の適用対象となる開閉装置の開閉体は、巻き取られるものであれば、その構成態様としては、所謂スラットを上下方向に複数連設した態様だけではなく、パイプ、パネル、シート状物又はネット状物を単数もしくは複数連設して成る態様のシャッターカーテン、あるいは、スラット、パネル、パイプ、シート状物、ネット状物を適宜に組合せたシャッターカーテンでもよい。
【符号の説明】
【００４２】
１  シャッター装置（開閉装置）、２  ケース、４  シャッターカーテン（開閉体）、６，６Ａ  調整機構、１０  開口部、１１  建物の躯体、
２２  ブラケット（シャフト支持部）、３１  シャフト、３１Ｅ  シャフトの端部、
６０  上下移動手段、７０，９０  支持手段、８０，８０Ａ  操作手段、
８１  ねじ部材（操作手段）、８３  ねじ頭部（操作部）。
【図１】
2020125638.tif 000003
【図２】
2020125638.tif 000004
【図３】
2020125638.tif 000005
【図４】
2020125638.tif 000006
【図５】
2020125638.tif 000007
【図６】
2020125638.tif 000008
【図７】
2020125638.tif 000009
【図８】
2020125638.tif 000010
【図９】
2020125638.tif 000011
【図１０】
2020125638.tif 000012